(57)【要約】  【課題】  現用系に異常が発生したとき予備系への切替を速やかに行うことが可能な、現用系と予備系を有する映像送出装置を提供する。  【解決手段】  現用系と少なくとも１つの予備系を有する映像送出装置において、デジタル映像信号を現用系Ａと予備系Ｂに分配し、映像変化検知器５ａで、現用系Ａの復号出力における各映像フレームの画像データ量を算出し、各映像フレームの画像データ量に変化がないことを検知したとき、予備系Ｂに切替えて出力することを特徴とする。【選択図】図１
2007043520.tif 000002
【特許請求の範囲】
【請求項１】
現用系と少なくとも１つの予備系を有する映像送出装置において、デジタル映像信号を前記現用系と前記予備系に分配し、前記現用系の復号出力における各映像フレームの画像データ量を算出し、各映像フレームの画像データ量に変化がないとき、前記予備系に切替えて出力することを特徴とする現用系と予備系を有する映像送出装置。
【請求項２】
現用系と少なくとも１つの予備系を有する映像送出装置において、デジタル映像信号を前記現用系と前記予備系に分配し、前記現用系と前記予備系の両方の復号出力における各映像フレームの画像データ量を算出し、前記現用系の復号出力における各映像フレームの画像データ量に変化がなく、且つ、前記予備系の復号出力における各映像フレームの画像データ量に変化があるときに、前記予備系に切替えて出力することを特徴とする現用系と予備系を有する映像送出装置。
【請求項３】
現用系と少なくとも１つの予備系を有する映像送出装置において、デジタル映像信号を、各映像フレームの特定個所の映像レベルを各映像フレーム毎に変化を与えてから前記現用系と前記予備系に分配し、前記現用系と前記予備系の両方の復号出力における各映像フレームの画像データ量を算出し、前記現用系の復号出力における各映像フレームの画像データ量に変化がなく、且つ、前記予備系の復号出力における各映像フレームの画像データ量に変化があるときに、前記予備系に切替えて出力することを特徴とする現用系と予備系を有する映像送出装置。
【発明の詳細な説明】
【技術分野】
【０００１】
本発明は、現用系と予備系を有し、現用系に異常が発生したとき予備系に切替えて出力する、現用系と予備系を有する映像送出装置に関する。
【背景技術】
【０００２】
デジタル映像信号からなる各種動画像素材を圧縮データ化して、ハードディスク等のデータ保存器（データバンク）に保存しておき、必要時に必要な順序で読み出し伸張して復号を行う映像送出装置においては、信頼性向上のために、現用系と予備系を有し、現用系に異常が発生したとき予備系に切替えて出力するようにしている。
【０００３】
図８は、従来の現用系と予備系を有する映像送出装置の構成例を示すブロック図である（文献公知発明に係るものではない）。
【０００４】
デジタル映像信号からなる各種動画像素材が、エンコーダ１で圧縮データ化され、現用系Ａと予備系Ｂに分配される。
【０００５】
現用系Ａはハードディスク等のデータ保存器（データバンク）２ａとデータ保存器（データバンク）２ａに接続のデコーダ３ａからなり、現用系Ｂはハードディスク等のデータ保存器（データバンク）２ｂとデータ保存器（データバンク）２ｂに接続のデコーダ３ｂからなる。
【０００６】
デコーダ３ａの出力とデコーダ３ｂの出力は切替器４に接続されるが、通常、切替器４は現用系Ａのデコーダ３ａの出力に切替えられており、現用系Ａのデコーダ３ａの出力が、図示していないが後段の送信機に出力され、送信機から各家庭のテレビジョン受信機に向けてデジタル映像信号が送出される。
【０００７】
稀に生じる映像送出装置の不調等で、現用系Ａに異常が発生すると、現用系Ａのデコーダ３ａの出力は、異常になる直前の映像信号のままの静止した画像（以下、フリーズ画像という）となる。図示していないが、現用系Ａのデコーダ３ａの出力にモニタを接続することで、人は、モニタの画面をみてフリーズ画像であることを認識することができる。
【０００８】
現用系Ａに異常が発生したことを認識したら、人手により切替器４を切替えることで、予備系Ｂのデコーダ３ｂの出力を後段の送信機に出力するようにする。
【０００９】
なお、現用系と予備系を有し、現用系に異常が発生したとき予備系に切替えて出力する、現用系と予備系を有する映像送出装置自体は、例えば特許文献１で知られている。
【００１０】
【特許文献１】特開２００４−６４２５５号公報
【発明の開示】
【発明が解決しようとする課題】
【００１１】
しかし、現用系に異常が発生したとき人手により予備系に切替えるため、切替までに３秒から５秒かかってしまう。
【００１２】
本発明の目的は、現用系に異常が発生したとき予備系への切替を速やかに行うことが可能な、現用系と予備系を有する映像送出装置を提供することにある。
【課題を解決するための手段】
【００１３】
本発明は、現用系と少なくとも１つの予備系を有する映像送出装置において、デジタル映像信号を前記現用系と前記予備系に分配し、前記現用系の復号出力における各映像フレームの全画素の画素レベル値の合計である画像データ量を算出し、各映像フレームの画像データ量に変化がないとき、前記予備系に切替えて出力することを特徴とする。
【００１４】
また本発明は、現用系と少なくとも１つの予備系を有する映像送出装置において、デジタル映像信号を前記現用系と前記予備系に分配し、前記現用系と前記予備系の両方の復号出力における各映像フレームの画像データ量を算出し、前記現用系の復号出力における各映像フレームの画像データ量に変化がなく、且つ、前記予備系の復号出力における各映像フレームの画像データ量に変化があるときに、前記予備系に切替えて出力することを特徴とする。
【００１５】
また本発明は、現用系と少なくとも１つの予備系を有する映像送出装置において、デジタル映像信号を、各映像フレームの特定個所の映像レベルを各映像フレーム毎に変化を与えてから前記現用系と前記予備系に分配し、前記現用系と前記予備系の両方の復号出力における各映像フレームの画像データ量を算出し、前記現用系の復号出力における各映像フレームの画像データ量に変化がなく、且つ、前記予備系の復号出力における各映像フレームの画像データ量に変化があるときに、前記予備系に切替えて出力することを特徴とする。
【発明の効果】
【００１６】
本発明によれば、現用系に異常が発生したとき予備系への切替を速やかに行うことが可能な、現用系と予備系を有する映像送出装置を得ることができる。
【発明を実施するための最良の形態】
【００１７】
本発明の現用系と予備系を有する映像送出装置の実施の形態について、図１〜図７を用いて説明する。
【００１８】
図１は、本発明の現用系と予備系を有する映像送出装置の実施の形態の構成図である。図１において図８と同一個所は同一符号を付けてある。
【００１９】
図１においては、現用系Ａのデコーダ３ａの出力に映像変化検知器５ａを接続し、予備系Ｂのデコーダ３ｂの出力に映像変化検知器５ｂを接続し、映像変化検知器５ａの出力と映像変化検知器５ｂの出力を判定器６に接続し、判定器６の出力を切替器４に接続してなり、現用系に異常を示すフリーズが発生したとき判定器６が切替器４を制御して予備系Ｂに切替えて出力するようにする。
【００２０】
ここで、映像変化検知器５ａは現用系Ａのデコーダ３ａの復号出力における各映像フレームの画像データ量を算出し、各映像フレームの画像データ量に変化がないことを検知したときフリーズが発生したことを示す報知信号を出力する。また、映像変化検知器５ｂは予備系Ｂのデコーダ３ｂの復号出力における各映像フレームの画像データ量を算出し、各映像フレームの画像データ量に変化がないことを検知したときフリーズが発生したことを示す報知信号を出力する。
【００２１】
図２は、図１における映像変化検知器５ａ，５ｂの具体的回路例を示す図である。図２において、映像変化検知器５ａ，５ｂは同じ構成で、積算器２１と第１メモリ２２と第２メモリ２３と差分絶対値器２４と０判定器２５で構成される。
【００２２】
まず、積算器２１で１映像フレーム分の映像データ量を算出する。算出した映像データ量を第１メモリ２２に格納する。そして、次の１映像フレームが積算部２１に入力されたとき、第１メモリ２２に格納された映像データ量を第２メモリ２３に格納すると共に、次の１映像フレームの映像データ量を積算部２１で算出して第１メモリ２２に格納する。
【００２３】
第１メモリ２２に格納された映像データ量と第２メモリ２３に格納された映像データ量との差分（差分絶対値器２４に入力された一方の映像フレームとこの映像フレームよりも１フレーム前の映像フレームとの映像データ量の差分）を差分絶対値器２４で算出し、その結果を０判定器２５に出力する。差分がないとき、０判定器２５はフリーズが発生したことを示す報知信号を出力する。
【００２４】
図３，図４は、図２の映像変化検知器５ａ，５ｂの動作を説明する図である。
【００２５】
図３は、図１の現用系Ａ，予備系Ｂがともに正常動作しているときであり、この場合図３の（ａ）に示すところの、現用系Ａの各映像フレーム、予備系Ｂの各映像フレームはともに動画像なので、図２の積算器２１で積算した画像データ量は、現用系Ａ，予備系Ｂともに、図３の（ｂ）に示すように、各映像フレーム毎に変化した画像データ量となる。したがってこの場合は差分絶対値器２４で、一方の映像フレームとこの映像フレームよりも１フレーム前の映像フレームとの映像データ量の差分が出力される。
【００２６】
それに対して、図４は、図１の現用系Ａにフリーズが発生したときで、図４の（ａ）に示すように、３番目以降の映像フレームにフリーズが発生した場合、３番目以降の映像フレームは静止した画像なので、現用系Ａの図２の積算器２１で積算した画像データ量は、図４の（ｂ）に示すように、３番目以降の各映像フレームに対しては変化のない一定の画像データ量となる。したがってこの場合は差分絶対値器２４で、一方の映像フレームとこの映像フレームよりも１フレーム前の映像フレームとの映像データ量の差分が出力されないので、０判定器２５はフリーズが発生したことを示す報知信号を出力する。
【００２７】
映像変化検知器５ａが、フリーズが発生したことを示す報知信号を出力するとき、図１に示すところの、映像変化検知器５ａの出力と映像変化検知器５ｂの出力に接続の判定器６は、報知信号に応答して切替信号を出力し、切替信号により切替器４を現用系Ａから予備系Ｂに切替えて、予備系Ｂのデコーダ３ｂの出力を出力する。
【００２８】
したがって本実施の形態によれば、現用系に異常が発生したとき予備系への切替を速やかに行うことが可能な、現用系と予備系を有する映像送出装置を得ることができる。
【００２９】
また、映像変化検知器５ａが、フリーズが発生したことを示す報知信号を出力するとき、図１に示すところの、映像変化検知器５ａの出力と映像変化検知器５ｂの出力に接続の判定器６は、上記と異なる処理を行うようにしてもよい。
【００３０】
すなわち、映像変化検知器５ａが、フリーズが発生したことを示す報知信号を出力するとき、判定器６は、予備系Ｂの映像変化検知器５ｂが、フリーズが発生したことを示す報知信号を出力するかを確認し、報知信号を出力しないところの、すなわち予備系Ｂの各映像フレームの画像データ量に変化があるところの正常であることを確認してから、報知信号に応答した切替信号を出力し、切替信号により切替器４を現用系Ａから予備系Ｂに切替えて、予備系Ｂのデコーダ３ｂの出力を出力するようにする。
【００３１】
現用系Ａと予備系Ｂがいずれもフリーズが発生したことを示す報知信号を出力する場合は、図１の入力であるデジタル映像信号からなる各種動画像素材自体が、一定レベルの映像信号の場合もあるので、切替えない方がよい。
【００３２】
本処理によれば、現用系に異常を示すフリーズが発生したときの現用系から予備系への切替を有効的に行うことが可能な、現用系と予備系を有する映像送出装置を得ることができる。
【００３３】
図５は、本発明の現用系と予備系を有する映像送出装置の他の実施の形態の構成図である。図１において図１と同一個所は同一符号を付けてある。
【００３４】
本実施の形態では、入力であるデジタル映像信号からなる各種動画像素材を、各映像フレームの特定個所の映像レベルを各映像フレーム毎に変化を与えてから現用系と予備系に分配するようにしたことにある。
【００３５】
図５においては、エンコーダ１の前段に前処理器７を設け、前処理器７で、入力であるデジタル映像信号からなる各種動画像素材を、各映像フレームの特定個所の映像レベルを各映像フレーム毎に変化を与えた前処理をしてから、現用系Ａと予備系Ｂに分配するようにしたことにある。
【００３６】
図６は、図５の前処理器７での具体的な前処理例を説明する図である。前処理器７では、１フレーム６１の四隅の１画素６１ａ，６１ｂ，６１ｃ，６１ｄの映像レベルを、フレーム毎に交互に１ビット増加したり減少したりする処理を行う。
【００３７】
また上記のように、映像変化検知器５ａが、フリーズが発生したことを示す報知信号を出力するときすなわち画像データ量が変化なしのとき、判定器６は、予備系Ｂの映像変化検知器５ｂが、フリーズが発生したことを示す報知信号を出力しないすなわち画像データ量が変化ありを確認してから、報知信号に応答した切替信号を出力し、切替信号により切替器４を現用系Ａから予備系Ｂに切替えて、予備系Ｂのデコーダ３ｂの出力を出力するようにする。
【００３８】
図７は、図５の構成の動作論理を示す図である。
【００３９】
画像データ量１（状態１）においては、現用系Ａに変化がある場合で、この場合現用系Ａの動作は正常であるので、切替要否は否であり、切替を行なわない。
【００４０】
また、入力であるデジタル映像信号からなる各種動画像素材自体が一定レベルの映像信号である場合でも、図２の積算器２１で積算した画像データ量は、現用系Ａ，予備系Ｂともに、各映像フレーム毎に、１００４画素、９９６画素が繰り返しの画像データ量となり、現用系Ａに変化がある場合に該当するので、この場合現用系Ａの動作は正常であり、切替要否は否であり、切替を行なわない。
【００４１】
画像データ量２（状態２）においては、現用系Ａ，予備系Ｂともに変化がない場合で、この場合は入力であるデジタル映像信号からなる各種動画像素材自体が、各映像フレーム毎に、１０００画素が繰り返しの画像データ量となり、この場合、静止画が出力されていることで現用系Ａの動作が正常であるとみなし、切替要否は否であり、切替を行なわない。
【００４２】
画像データ量３（状態３）においては、現用系Ａが変化なし、現用系Ｂが変化ありの場合で、この場合現用系Ａにフリーズが発生したときなので、現用系Ａの動作は異常であり、切替要否は要であるので、判定器６は切替信号を出力し、切替信号により切替器４を現用系Ａから予備系Ｂに切替えて、予備系Ｂのデコーダ３ｂの出力を出力する。
【００４３】
本実施の形態によれば、入力であるデジタル映像信号からなる各種動画像素材自体が一定レベルの映像信号である場合には、現用系Ａから予備系Ｂへの切替を行なわないで、現用系Ａにフリーズが発生したときに現用系Ａから予備系Ｂへの切替を行うことが可能な、現用系と予備系を有する映像送出装置を得ることができる。
【００４４】
また別の処理方法としては、現用系の復号出力における各映像フレームの画像データ量を算出するとともに、現用系の復号出力における各映像フレームの音声出力の有無を調べ、音声出力が無い場合はフリーズが発生した場合なので、この場合は報知信号に応答した切替信号を出力することにより、切替信号により切替器４を現用系Ａから予備系Ｂに切替えて、予備系Ｂのデコーダ３ｂの出力を出力することも可能である。
【図面の簡単な説明】
【００４５】
【図１】本発明の現用系と予備系を有する映像送出装置の実施の形態の構成図である。
【図２】図１における映像変化検知器の具体的回路例を示す図である。
【図３】図２の映像変化検知器の動作を説明する図である。
【図４】図２の映像変化検知器の動作を説明する図である。
【図５】本発明の現用系と予備系を有する映像送出装置の他の実施の形態の構成図である。
【図６】図５の前処理器での具体的な前処理例を説明する図である。
【図７】図５の構成の動作論理を示す図である。
【図８】従来の現用系と予備系を有する映像送出装置の構成例を示すブロック図である。
【符号の説明】
【００４６】
１：エンコーダ、２ａ，２ｂ：データ保存器（データバンク）、３ａ，３ｂ：デコーダ、４：切替器、５ａ，５ｂ：映像変化検知器、６：判定器、７：前処理器、２１：積算器、２２：第１メモリ、２３：第２メモリ、２４：差分絶対値器、２５：０判定器、６１：１フレーム、６１ａ，６１ｂ，６１ｃ，６１ｄ：１フレームの四隅の１画素。
【図１】
2007043520.tif 000003
【図２】
2007043520.tif 000004
【図３】
2007043520.tif 000005
【図４】
2007043520.tif 000006
【図５】
2007043520.tif 000007
【図６】
2007043520.tif 000008
【図７】
2007043520.tif 000009
【図８】
2007043520.tif 000010